(57)【特許請求の範囲】
【請求項１】
筐体（１）と前記筐体（１）内に設けられた硬貨カセットアセンブリとを含むコイン式衣類洗濯／乾燥機であって、
前記筐体（１）内に支持構造（２）が固設されており、少なくとも前記硬貨カセットアセンブリの底面は、ファスナによって前記支持構造（２）に固接され、
前記ファスナは、前記硬貨カセットアセンブリの内部から出て前記支持構造（２）と固接され、
前記硬貨カセットアセンブリは、コイン投入部（３）とコイン収納箱（４）とを含み、
前記コイン収納箱（４）のトップ面に投入口（４１）が開設されており、
前記コイン投入部（３）は前記投入口（４１）に通る硬貨通路（３１）を有し、
前記筐体（１）の２つの側板（１１）のトップ部間にビーム（１２）が連結されており、
前記コイン収納箱（４）のトップ面は、前記ビーム（１２）の底面に固接される、
コイン式衣類洗濯／乾燥機。
【請求項２】
ドラムを前記筐体（１）内に支持するためのドラム支持部材（６）を更に含み、
前記支持構造（２）は、前記ドラム支持部材（６）に固定される、
請求項１に記載のコイン式衣類洗濯／乾燥機。
【請求項３】
前記支持構造（２）は、前記ドラム支持部材（６）と溶接固定される、
請求項２に記載のコイン式衣類洗濯／乾燥機。
【請求項４】
前記支持構造（２）は、Ｌ字形折り曲げ板であり、
前記Ｌ字形折り曲げ板は、第１の板（２１）と第２の板（２２）とを含み、
前記第１の板（２１）の一方側面は、前記ドラム支持部材（６）に溶接され、
前記第２の板（２２）は、前記硬貨カセットアセンブリの底面と、ファスナによって固接され、
前記ファスナは、前記硬貨カセットアセンブリの内部から出た後に前記第２の板（２２）に固接される、
請求項２に記載のコイン式衣類洗濯／乾燥機。
【請求項５】
前記第１の板（２１）と前記第２の板（２２）の側辺は、それぞれ前記筐体（１）において前記硬貨カセットアセンブリに近い側板（１１）と溶接される、
請求項４に記載のコイン式衣類洗濯／乾燥機。
【請求項６】
前記ファスナは、ネジ又はボルトである、
請求項４に記載のコイン式衣類洗濯／乾燥機。
【請求項７】
前記筐体（１）のトップ部には、三面パネル（１３）、トップ蓋板（１４）及び前側におけるコントロールパネル（１５）が設けられており、前記三面パネル（１３）、トップ蓋板（１４）及びコントロールパネル（１５）は、前記筐体（１）を共同で封鎖し、
前記コイン投入部（３）にコイン投入口（３２）が設けられ、前記コントロールパネル（１５）に第１の開口（１５１）が開設されており、前記コイン投入部（３）は、前記コントロールパネル（１５）の裏面から前記第１の開口（１５１）に貫入して前記コイン投入口（３２）を外部に露出させ、
前記コイン収納箱（４）は、ハウジング（４４）及び前記ハウジング（４４）内に押し引き可能に設けられた錠付引き出しを含み、前記コントロールパネル（１５）に第２の開口（１５２）が開設されており、前記コイン収納箱（４）は、前記コントロールパネル（１５）の裏面から前記第２の開口（１５２）に貫入して前記錠付引き出しの鍵穴（４３）を外部に露出させる、
請求項１に記載のコイン式衣類洗濯／乾燥機。
【請求項８】
前記三面パネル（１３）は、第１のパネル（１３１）、第２のパネル（１３２）及び第３のパネル（１３３）を含み、ファスナによってそれぞれ前記筐体（１）の裏板（１６）及び２つの側板（１１）と固定され、
前記トップ蓋板（１４）に位置決め孔（１４１）が開設されており、前記トップ蓋板（１４）は位置決めネジ（５）によってそれぞれ前記第２のパネル（１３２）及び前記第３のパネル（１３３）と固接される、
請求項７に記載のコイン式衣類洗濯／乾燥機。
【請求項９】
前記位置決め孔（１４１）は、前記コントロールパネル（１５）に近設された第１の孔（１４１１）、前記コントロールパネル（１５）から離設された第２の孔（１４１２）、及び前記第１の孔（１４１１）と前記第２の孔（１４１２）を連通するストレート孔（１４１３）を含み、
前記位置決めネジ（５）は上から下まで順にナット（５１）、第１の位置決め部（５２）、第２の位置決め部（５３）及びネジ山部（５４）を含み、
前記ナット（５１）の外形寸法は、前記第１の位置決め部（５２）の外形寸法より小さく、前記第１の位置決め部（５２）の外形寸法は、前記第１の孔（１４１１）の外形寸法より小さく、且つ第２の孔（１４１２）の外形寸法より大きく、前記第２の位置決め部（５３）の外形寸法は、前記ストレート孔（１４１３）及び前記第２の孔（１４１２）の外形寸法に適合され、
前記トップ蓋板（１４）の側辺は、前記第１の位置決め部（５２）と前記第２のパネル（１３２）のトップ面との間に位置し、前記トップ蓋板（１４）の他の側辺は前記第１の位置決め部（５２）と前記第３のパネル（１３３）のトップ面との間に位置し、前記第２の位置決め部（５３）は、前記第２の孔（１４１２）に嵌合され、前記ネジ山部（５４）は、前記トップ蓋板（１４）を固定するように、前記第２のパネル（１３２）及び／又は第３のパネル（１３３）に螺接される、
請求項８に記載のコイン式衣類洗濯／乾燥機。
【発明の詳細な説明】
【技術分野】
【０００１】
本出願は、衣類洗濯乾燥機器の技術分野に関し、例えば、コイン式衣類洗濯／乾燥機に関する。
【背景技術】
【０００２】
従来の洗濯方式は、手間がかかるだけでなく不便でもあった。生活リズムと生活品質の向上に伴い、都市部の人々にとっては、効率的で、簡易的で、衛生的な洗濯方式がますます必要となり、セルフ式洗濯機が誕生した。新たな消費傾向がだんだんと形成されることにより、コイン式商用衣類洗濯／乾燥機は広く適用されるようになった。コイン式商用衣類洗濯／乾燥機は、コインシステムにより洗濯機の運転を自動で制御し、操作しやすく、見張りの必要がなく、管理コストを大幅に低下させ、学校、工場、ホテルなどの公共の場での第１選択肢となった。
【発明の概要】
【０００３】
関連するコイン式洗濯機は、ファスナによって硬貨カセットを洗濯機の筐体と固定し、ファスナが洗濯機の外表面に露出するため、窃盗者の注意を引き起こしやすい。盗難防止効果を向上させるため、通常は、ファスナをまれな異形ネジとすることで、取り外しにくく、窃盗を防止することができる。しかし、道具の多様化に伴い、現在の市場では、これらの異形ネジを取り外すための特殊な取外し器具が容易に手に入り、手に入らなかったとしても、窃盗者は、これらの異形ネジを取り外すための比較的シンプルな方法を容易に探し出すことができ、一旦ネジが取り外されると、機器内部又は外部の硬貨カセットが盗まれやすい。
【０００４】
上記問題に対し、盗難防止効果が悪く、硬貨カセットが盗まれやすいという従来コイン式衣類洗濯／乾燥機に存在する問題を解決するために、新たなコイン式衣類洗濯／乾燥機が必要となる。
【０００５】
本発明の実施例において、硬貨カセットが取り外されにくく、盗難防止効果が良いコイン式衣類洗濯／乾燥機を提示する。
【０００６】
本発明の実施例は、以下の技術的手段を採用する。
【０００７】
筐体と筐体内に設けられた硬貨カセットアセンブリとを含むコイン式衣類洗濯／乾燥機であって、前記筐体内に支持構造が固設されており、少なくとも前記硬貨カセットアセンブリの底面は、ファスナによって前記支持構造に固接され、前記ファスナは、前記硬貨カセットアセンブリの内部から出て前記支持構造と固接される、コイン式衣類洗濯／乾燥機。
【０００８】
好ましくは、前記コイン式衣類洗濯／乾燥機は、ドラムを前記筐体内に支持するためのドラム支持部材を更に含み、
前記支持構造は、前記ドラム支持部材に固定される。
【０００９】
好ましくは、前記支持構造は、前記ドラム支持部材と溶接固定される。
【００１０】
好ましくは、前記支持構造は、Ｌ字形折り曲げ板であり、前記Ｌ字形折り曲げ板は、第１の板と第２の板とを含み、前記第１の板の一方側面は、前記ドラム支持部材に溶接され、前記第２の板は、前記硬貨カセットアセンブリの底面と、ファスナによって固接され、
前記ファスナは、前記硬貨カセットアセンブリの内部から出た後に前記第２の板に固接される。
【００１１】
好ましくは、前記第１の板と前記第２の板の側辺は、それぞれ前記筐体において前記硬貨カセットアセンブリに近い側板と溶接される。
【００１２】
好ましくは、前記ファスナは、ネジ又はボルトである。
【００１３】
好ましくは、前記硬貨カセットアセンブリは、コイン投入部とコイン収納箱とを含み、前記コイン収納箱のトップ面に投入口が開設されており、前記コイン投入部は前記投入口に通る硬貨通路を有し、
前記筐体の２つの側板のトップ部間にビームが連結されており、前記コイン収納箱のトップ面は、前記ビームの底面に固接される。
【００１４】
好ましくは、前記筐体のトップ部には、三面パネル、トップ蓋板及び前側におけるコントロールパネルが設けられており、前記三面パネル、トップ蓋板及びコントロールパネルは、前記筐体を共同に封鎖し、
前記コイン投入部にコイン投入口が設けられ、前記コントロールパネルに第１の開口が開設されており、前記コイン投入部は、前記コントロールパネルの裏面から前記第１の開口に貫入して前記コイン投入口を外部に露出させ、
前記コイン収納箱は、ハウジング及び前記ハウジング内に押し引き可能に設けられた錠付引き出しを含み、前記コントロールパネルに第２の開口が開設されており、前記コイン収納箱は、前記コントロールパネルの裏面から前記第２の開口に貫入して前記錠付引き出しの鍵穴を外部に露出させる。
【００１５】
好ましくは、前記三面パネルは、第１のパネル、第２のパネル及び第３のパネルを含み、ファスナによってそれぞれ前記筐体の裏板及び２つの側板と固定され、
前記トップ蓋板に位置決め孔が開設されており、前記トップ蓋板は位置決めネジによってそれぞれ前記第２のパネル及び前記第３のパネルと固接される。
【００１６】
好ましくは、前記位置決め孔は、前記コントロールパネルに近設された第１の孔、前記コントロールパネルから離設された第２の孔、及び前記第１の孔と前記第２の孔を連通するストレート孔を含み、
前記位置決めネジは上から下まで順にナット、第１の位置決め部、第２の位置決め部及びネジ山部を含み、
前記ナットの外形寸法は、前記第１の位置決め部の外形寸法より小さく、前記第１の位置決め部の外形寸法は、前記第１の孔の外形寸法より小さく、且つ第２の孔の外形寸法より大きく、前記第２の位置決め部の外形寸法は、前記ストレート孔及び前記第２の孔の外形寸法に適合され、
前記トップ蓋板の側辺は、前記第１の位置決め部と前記第２のパネルのトップ面との間に位置し、前記トップ蓋板の他の側辺は前記第１の位置決め部と前記第３のパネルのトップ面との間に位置し、前記第２の位置決め部は、前記第２の孔に嵌合され、前記ネジ山部は、前記トップ蓋板を固定するように、前記第２のパネル及び／又は第３のパネルに螺接される。
【００１７】
本発明の実施例に係るコイン式衣類洗濯／乾燥機は、筐体内に支持構造が設けられており、硬貨カセットアセンブリの底面をファスナによって支持構造と固接するため、衣類洗濯／乾燥機全体の外側からはネジなどのファスナは見えず、窃盗者は手の付けようがなく、窃盗意識を捨てさせる、或いは窃盗を放棄させることができる。また、ファスナが硬貨カセットアセンブリの内部から出て支持構造と固定され、固定構造が硬貨カセットアセンブリの底部に隠されるため、窃盗者は、衣類洗濯／乾燥機全体のハウジングを開けることができても、硬貨カセットアセンブリを取り外すことが不可能又は困難である。結果、非常に良い盗難防止効果を達成することができる。
【図面の簡単な説明】
【００１８】
【図１】本発明の実施例１に係るコイン式衣類洗濯／乾燥機の構造模式図
【図２】本発明の実施例１に係るコイン式衣類洗濯／乾燥機の構造分解図
【図３】図２中のＡにおける構造拡大図
【図４】本発明の実施例１に係るトップ蓋板を取り除いた後の構造模式図
【図５】本発明の実施例１に係るトップ蓋板とコントロールパネルを取り除いた後の構造模式図
【図６】図５中のＢにおける構造拡大図
【図７】本発明の実施例１に係るトップ蓋板の位置決め孔における構造模式図
【図８】本発明の実施例１に係る位置決めネジの構造模式図
【発明を実施するための形態】
【００１９】
本発明の実施例は、筐体及び筐体内に設けられた硬貨カセットアセンブリを含み、筐体内に支持構造が固設されており、少なくとも硬貨カセットアセンブリの底面はファスナによって支持構造と固接され、前記ファスナは、前記硬貨カセットアセンブリの内部から出て前記支持構造と固接される、コイン式衣類洗濯／乾燥機を提供する。
【００２０】
本発明の実施例に係るコイン式衣類洗濯／乾燥機は、硬貨カセットアセンブリをファスナによって支持構造と固接するため、衣類洗濯／乾燥機全体の外側からネジなどのファスナは見えず、窃盗者は手の付けようがなく、窃盗意識を捨てさせる、或いは窃盗を放棄させることができる。また、ファスナが硬貨カセットアセンブリの内部から出て支持構造と固定され、固定構造が硬貨カセットアセンブリの底部に隠されるため、窃盗者は、衣類洗濯／乾燥機全体のハウジングを開けることができても、硬貨カセットアセンブリを取り外すことが不可能又は困難である。結果、非常に良い盗難防止効果を達成することができる。
【００２１】
実施例１
【００２２】
本実施例は、コイン式衣類洗濯／乾燥機を提供し、図１〜図８に示すように、筐体１、筐体１内に設けられたドラム、及び硬貨カセットアセンブリを含む。筐体１内に支持構造２が固設されており、硬貨カセットアセンブリの底面は、支持構造２に固装され、硬貨カセットアセンブリの外観面である前面には、いずれのファスナも設置されていないため、窃盗者は手の付けようがなく、窃盗意識を捨てさせる、或いは窃盗を放棄させることができる。
【００２３】
ドラムは、ドラム支持部材６によって筐体１内に支持され、ドラム支持部材６は板状構造であり、筐体１内の前部に設けられ、板状構造の両辺は筐体１の２つの側板１１の内壁に固定される。支持構造２はドラム支持部材６に固定され、溶接により固定されてもよい。
【００２４】
本実施例において、硬貨カセットアセンブリはコイン投入部３とコイン収納箱４とを含み、コイン収納箱４のトップ面に入口４１が開設されており、コイン投入部３は入口４１に通る硬貨通路３１を有する。
【００２５】
支持構造２はＬ字形折り曲げ板であり、Ｌ字形折り曲げ板は、互いに垂直で設けられた第１の板２１及び第２の板２２を含み、第１の板２１の一方側面は、ドラム支持部材６に溶接され、第２の板２２は、ファスナによってコイン収納箱４の底面と固接されている。固定位置が底部に隠れるため、取外し難度が向上する。更に、ファスナは、コイン収納箱の内部から出た後に第２の板２２と固接され、外部からコイン収納箱４を取り外すことは非常に困難であることから、盗難防止効果を更に向上させる。ファスナは、ネジ、ボルトなどを用いてもよい。
【００２６】
支持構造２の安定性及びコイン収納箱を支持する信頼性を向上するため、第１の板２１と第２の板２２の側辺は、それぞれ筐体１において硬貨カセットアセンブリに近い側板１１と溶接固定される。
【００２７】
好ましくは、筐体１の２つの側板１１のトップ部間にビーム１２が連結されており、コイン収納箱４のトップ面はビーム１２の底面と固接され、本実施例において、コイン収納箱４のトップ面入口４１の周りに取付部４２が突設されており、ビーム１２は４本のネジによって取付部４２と固接される。
【００２８】
筐体１のトップ部には、三面パネル１３、トップ蓋板１４及び前側におけるコントロールパネル１５が設けられており、三面パネル１３、トップ蓋板１４及びコントロールパネル１５が共同で筐体１を封鎖する。コイン投入部３にコイン投入口３２が設けられており、コントロールパネル１５に第１の開口１５１が開設されており、コイン投入部３はコントロールパネル１５の裏面から第１の開口１５１を貫入してコイン投入口３２を外部に露出させるため、ユーザはコイン投入口３２により衣類洗濯／乾燥機内にコインを投入しやすい。コイン収納箱４は、ハウジング４４及びハウジング４４内に押し引き可能に設けられた錠付引き出しを含み、ユーザにより投入された硬貨は、ハウジング４４における入口４１によって錠付引き出しに入る。コントロールパネル１５に第２の開口１５２が開設されており、コイン収納箱４はコントロールパネルの裏面から第２の開口１５２に貫入して錠付引き出しの鍵穴４３を外部に露出させ、専門の鍵でなければ、錠付引き出しを開けてその中の硬貨を取り出すことができない。
【００２９】
三面パネル１３は、第１のパネル１３１、第２のパネル１３２及び第３のパネル１３３を含み、ファスナによってそれぞれ筐体１の裏板１６及び２つの側板と固定される。トップ蓋板１４に位置決め孔１４１が開設されており、トップ蓋板１４は、位置決めネジ５によってそれぞれ第２のパネル１３２及び第３のパネル１３３と固接される。本実施例において、トップ蓋板１４は２本の離間した位置決めネジ５により第２のパネル１３２のトップ面に連結され、２本の離間した位置決めネジ５により第３のパネル１３３のトップ面に連結される。
【００３０】
位置決め孔１４１は、コントロールパネル１５に近設された第１の孔１４１１、コントロールパネル１５から離設された第２の孔１４１２、及び第１の孔１４１１と第２の孔１４１２を連通するストレート孔１４１３を含む。位置決めネジ５は上から下まで順次にナット５１、第１の位置決め部５２、第２の位置決め部５３及びネジ山部５４を含む。そのうち、ナット５１の外形寸法は、第１の位置決め部５２の外形寸法より小さく、第１の位置決め部５２の外形寸法は、第１の孔１４１１の外形寸法より小さく、且つ第２の孔１４１２の外形寸法より大きく、第２の位置決め部５３の外形寸法は、ストレート孔１４１３及び第２の孔１４１２の外形寸法に適合される。
【００３１】
トップ蓋板１４の取付過程は以下の通りである。まず、位置決めネジ５のネジ山部５４をそれぞれ第２のパネル１３２と第３のパネル１３３に予め取り付け、トップ蓋板１４における各々の位置決め孔１４１の第１の孔１４１１をぞれぞれ対応した位置決めネジ５の第１の位置決め部５２から出し、トップ蓋板１４をコントロールパネル１５の方向へ推進させ、位置決めネジ５の第２の位置決め部５３をストレート孔１４１３に沿って第２の孔１４１２内に摺動させることにより、トップ蓋板１４の位置決めを完成させ、その後、各々の位置決めネジを締め込み、トップ蓋板１４の取付を完成させる。
【００３２】
窃盗者の狙いは、コイン収納箱４内のコインであり、硬貨は錠付きのコイン収納箱４に入っており、硬貨を持ち去ろうとするには２種類の方法がある。
【００３３】
１、コイン収納箱４の錠を開けて、硬貨を持ち去ること。錠が開く確率が比較的低く、その空間も小さく、コイン収納箱４及びコイン収納箱４の外側は比較的厚い鋼板を採用しているため、こじあけられる可能性が低い。
【００３４】
２、コイン収納箱４共に盗むこと。この点において、本実施例に係る取付構造は、窃盗難度を向上させている、まず、外側にネジ構造がないことから、窃盗意識を捨てる可能性があり、次に、トップ蓋板１４の取外しが比較的複雑であることから、窃盗難度を向上させ、窃盗者がコントロールパネル１５とトップ蓋板１４をこじあけて、コイン収納箱４を共に盗もうと試みても、コイン収納箱４内部におけるネジが重要な役割を果たし、窃盗者は、コイン収納箱４を開けることができず、その内部のネジを取り外すことが不可能であるため、衣類洗濯／乾燥機全体を破壊しない限り、コイン収納箱４を盗むことができない。
【００３５】
そのうち、コイン収納箱４の底面を支持構造２と連結することに限定されず、コイン収納箱４の他の非外面を支持構造２と連結してもよく、これにより、窃盗難度が向上する。支持構造２は、ドラム支持部材６と連結することに限定されず、支持構造２の筐体１内における確実な固定を保証できれば良い。
【符号の説明】
【００３６】
１、筐体
１１、側板
１２、ビーム
１３、三面パネル
１３１、第１のパネル
１３２、第２のパネル
１３３、第３のパネル
１４、トップ蓋板
１４１、位置決め孔
１４１１、第１の孔
１４１２、第２の孔
１４１３、ストレート孔
１５、コントロールパネル
１５１、第１の開口
１５２、第２の開口
１６、裏板
２、支持構造
２１、第１の板
２２、第２の板
３、コイン投入部
３１、硬貨通路
３２、コイン投入口
４、コイン収納箱
４１、入口
４２、取付部
４３、鍵穴
４４、ハウジング
５、位置決めネジ
５１、ナット
５２、第１の位置決め部
５３、第２の位置決め部
５４、ネジ山部
６、ドラム支持部材
【図１】
0006509382.tif 000002
【図２】
0006509382.tif 000003
【図３】
0006509382.tif 000004
【図４】
0006509382.tif 000005
【図５】
0006509382.tif 000006
【図６】
0006509382.tif 000007
【図７】
0006509382.tif 000008
【図８】
0006509382.tif 000009